(57)【要約】【課題】  車輪付きの収納ケースを載置した際の安定性を向上させ、収納ケースを載置した際に収納ケースの高さが高くなるのを抑制しつつ、収納ケースを載置する作業、及び、載置された収納ケースを移動させる作業を円滑に行うことができる係止機構及びその様な係止機構を備えた車輪付き収納ケースを提供する。【解決手段】  係止機構１０は、車輪付き収納ケースが載置される載置面ＳＳと、この載置面ＳＳに設けられた車輪穴７、係合穴８及び９とにより構成される。係合穴８及び９は、それぞれ車輪付き収納ケースに形成された突出部と係合する凹形状からなる。車輪穴７は、車輪付き収納ケースの車輪４を収容するための凹形状からなり、その底面７Ａと載置面ＳＳとを繋ぐ滑らかな傾斜面７Ｂを有する。【選択図】  図２
2014221661.tif 000002
【特許請求の範囲】
【請求項１】
移動用の車輪を備えた収納ケースを係止するための係止機構であって、
上記収納ケースが載置される載置面と、
上記載置面に設けられ、上記車輪を収容する凹形状からなる車輪穴と、
上記載置面に設けられ、上記収納ケースに形成された突出部と係合する凹形状からなる係合穴とを備え、
上記車輪穴は、その底面と上記載置面とを繋ぐ滑らかな傾斜面を有することを特徴とする係止機構。
【請求項２】
上記車輪穴及び上記係合穴は、上記載置面上に載置された上記収納ケースの前部を持ち上げることにより、上記突出部が上記係合穴から外れるとともに、上記車輪が上記車輪穴の上記底面に接触する深さをそれぞれ有することを特徴とする請求項１に記載の係止機構。
【請求項３】
移動用の車輪及び係止用の突出部が設けられた車輪付き収納ケースであって、
他の収納ケースが載置される載置面と、
上記載置面に設けられ、上記他の収納ケースの車輪を収容する凹形状からなる車輪穴と、
上記載置面に設けられ、上記他の収納ケースの突出部と係合する凹形状からなる係合穴とを備え、
上記車輪穴は、その底面と上記載置面とを繋ぐ滑らかな傾斜面を有することを特徴とする係止機構を備えた車輪付き収納ケース。
【発明の詳細な説明】
【技術分野】
【０００１】
本発明は、係止機構及びその係止機構を備えた車輪付き収納ケースに係り、更に詳しくは、移動用の車輪を備えた収納ケースを係止するための係止機構と、その様な係止機構を備えた車輪付き収納ケースに関する。
【背景技術】
【０００２】
プローブカードは、半導体ウエハに形成されたデバイスの電気的特性を検査するのに用いられる検査装置であり、デバイスの電極にそれぞれ接触させる微細な多数のプローブが設けられている。通常、プローブカードは、運搬又は保管のために、プローブカード専用のケースに収納される。
【０００３】
プローブカードなどの精密機器を収納する収納ケースには、ケース本体に車輪が取り付けられ、運搬時の作業負担を軽減させるとともに、ストッカーと呼ばれる専用の棚に保管する際に、車輪を転がしてケース本体の後部を棚の奥に移動させることが行われる。さらに、その改良として、非移動部材を車輪の近傍に設け、ケース本体が棚に載置された状態では、非移動部材が接地して車輪を浮き上がらせる一方、棚から取り出す際には、ケース本体の前部を持ち上げてケース本体を傾斜させることにより、車輪が接地して非移動部材を浮き上がらせる車輪付き収納ケースが知られている（例えば、特許文献１）。
【０００４】
この様な車輪付き収納ケースでは、棚に保管し、或いは、棚から取り出す際に、ケース本体を傾斜させる必要があり、棚に載置された状態ではケース本体の上部に十分な空間が形成されていなければならなかった。また、車輪や非移動部材がケース本体から突出する構造のため、車輪付き収納ケースを積み重ねて保管する場合に、不安定になるという問題があった。このため、従来の車輪付き収納ケースでは、２以上の車輪付き収納ケースを積み重ねることができず、また、上下の間隔が十分に広い棚を使用しなければならないという問題があった。
【先行技術文献】
【特許文献】
【０００５】
【特許文献１】実用新案登録第３１７１６８７号
【発明の概要】
【発明が解決しようとする課題】
【０００６】
本発明は、上記の事情に鑑みてなされたものであり、移動用の車輪を備えた収納ケースを載置した際の安定性を向上させ、収納ケースを載置した際に収納ケースの高さが高くなるのを抑制しつつ、収納ケースを載置する作業、及び、載置された収納ケースを移動させる作業を円滑に行うことができる係止機構を提供することを目的とする。
【０００７】
また、本発明は、２以上の車輪付き収納ケースを積み重ねた際の安定性を向上させつつ、他の収納ケースを車輪付き収納ケース上に載置する作業、及び、他の収納ケースを車輪付き収納ケース上から移動させる作業を円滑に行うことができる係止機構を提供することを目的とする。
【０００８】
また、本発明は、上述した様な係止機構を備えた車輪付き収納ケースを提供することを目的とする。
【課題を解決するための手段】
【０００９】
本発明による係止機構は、移動用の車輪を備えた収納ケースを係止するための係止機構であって、上記収納ケースが載置される載置面と、上記載置面に設けられ、上記車輪を収容する凹形状からなる車輪穴と、上記載置面に設けられ、上記収納ケースに形成された突出部と係合する凹形状からなる係合穴とを備え、上記車輪穴が、その底面と上記載置面とを繋ぐ滑らかな傾斜面を有することを特徴とするものである。
【００１０】
この様な構成の係止機構は、棚板や車輪付き収納ケースに設けることができる。本発明による上記係止機構を棚板に設けた場合、収納ケースが載置面上に載置された状態において、収納ケースの突出部が係合穴内に収容され、収納ケースが係止されるので、移動用の車輪を備えた収納ケースを載置した際の安定性を向上させることができる。また、収納ケースの車輪が車輪穴内に収容されるので、移動用の車輪を備えた収納ケースを載置した際に収納ケースの高さが高くなるのを抑制することができる。
【００１１】
さらに、車輪穴には、車輪穴の底面と載置面とを繋ぐ滑らかな傾斜面が設けられているので、車輪穴内に収容された車輪を傾斜面に沿って移動させれば、傾斜面がない場合に比べて、載置面上に載置された収納ケースを小さな力で移動させることができる。また、車輪を車輪穴及び載置面間で滑らかに移動させることができる。つまり、収納ケースを載置する作業、及び、載置された収納ケースを移動させる作業を円滑に行うことができる。
【００１２】
本発明による上記係止機構を車輪付き収納ケースに設けた場合には、他の収納ケースを車輪付き収納ケース上に積み重ねた状態において、他の収納ケースの突出部が係合穴内に収容され、他の収納ケースが係止される。このため、２以上の車輪付き収納ケースを積み重ねた際の安定性を向上させることができる。また、積み重ねられた他の収納ケースは小さな力で移動させることができるとともに、車輪を車輪穴及び載置面間で滑らかに移動させることができるので、他の収納ケースを車輪付き収納ケース上に載置する作業、及び、他の収納ケースを車輪付き収納ケース上から移動させる作業を円滑に行うことができる。
【００１３】
また、本発明による係止機構は、上記構成に加え、上記車輪穴及び上記係合穴が、上記載置面上に載置された上記収納ケースの前部を持ち上げることにより、上記突出部が上記係合穴から外れるとともに、上記車輪が上記車輪穴の上記底面に接触する深さをそれぞれ有するように構成される。
【００１４】
この様な構成によれば、収納ケースの前部を持ち上げた状態で当該収納ケースを前方へ移動させることにより、車輪が転がりながら車輪穴の底面から傾斜面へ移動するので、載置面上に載置された収納ケースを引き出し易くすることができる。
【００１５】
また、本発明による車輪付き収納ケースは、移動用の車輪及び係止用の突出部が設けられた車輪付き収納ケースであって、他の収納ケースが載置される載置面と、上記載置面に設けられ、上記他の収納ケースの車輪を収容する凹形状からなる車輪穴と、上記載置面に設けられ、上記他の収納ケースの突出部と係合する凹形状からなる係合穴とを備え、上記車輪穴が、その底面と上記載置面とを繋ぐ滑らかな傾斜面を有することを特徴とするものである。
【発明の効果】
【００１６】
本発明の係止機構によれば、移動用の車輪を備えた収納ケースを載置した際の安定性を向上させ、収納ケースを載置した際に収納ケースの高さが高くなるのを抑制しつつ、収納ケースを載置する作業、及び、載置された収納ケースを移動させる作業を円滑に行うことができる。また、２以上の車輪付き収納ケースを積み重ねた際の安定性を向上させつつ、他の収納ケースを車輪付き収納ケース上に載置する作業、及び、他の収納ケースを車輪付き収納ケース上から移動させる作業を円滑に行うことができる。
【００１７】
また、本発明によれば、上述した様な係止機構を備えた車輪付き収納ケースを提供することができる。
【図面の簡単な説明】
【００１８】
【図１】本発明の実施の形態による車輪付き収納ケースの一構成例を示した外観図である。
【図２】図１のプローブカード収納ケース１００を示した斜視図であり、プローブカード収納ケース１００を斜め上方から見た場合が示されている。
【図３】図１のプローブカード収納ケース１００の動作の一例を示した説明図であり、水平面ＨＳ上でプローブカード収納ケース１００を移動させる場合が示されている。
【図４】図１のプローブカード収納ケース１００の動作の一例を示した説明図であり、２以上の収納ケース１００を棚板２００上に積み重ねた場合が示されている。
【図５】図４のプローブカード収納ケース１００の動作の一例を示した説明図であり、最上段の収納ケース１００を移動させる場合が示されている。
【図６】係合穴７の底面７Ａと載置面ＳＳとを繋ぐ傾斜面７Ｂの他の構成例を示した断面図であり、車輪穴７を鉛直面で切断した場合の切断面が示されている。
【図７】係止機構１０を備えた介在板３００を用いて２以上のプローブカード収納ケース１００を棚板２００上に積み重ねる場合の一例を示した説明図である。
【発明を実施するための形態】
【００１９】
図１は、本発明の実施の形態による車輪付き収納ケースの一構成例を示した外観図であり、車輪付き収納ケースの一例として、プローブカード（図示せず）を収納するためのプローブカード収納ケース１００が示されている。図中には、水平面ＨＳ上に載置されたプローブカード収納ケース１００を水平方向から見た場合が示されている。また、図２は、図１のプローブカード収納ケース１００を示した斜視図であり、プローブカード収納ケース１００を斜め上方から見た場合が示されている。
【００２０】
＜プローブカード収納ケース１００＞
プローブカード収納ケース１００は、プローブカードを運搬又は保管するためのプローブカード用キャリーケースであり、ケース本体１、ロック部２、取っ手３、移動用の車輪４、係止用の突出部５，６及び係止機構１０により構成される。ケース本体１は、薄型の箱体からなり、その内部にプローブカードを収容するための空間が形成されている。ケース本体１内には、プローブカードを固定するための固定手段（図示せず）が設けられている。
【００２１】
ロック部２及び取っ手３は、ケース本体１の前端面に配置されている。取っ手３は、運搬時などに使用するハンドルである。ケース本体１及び取っ手３は、上筐体１１及び下筐体１２からなる。この上筐体１１及び下筐体１２は、ケース本体１の後端部に形成されたヒンジ機構（図示せず）により開閉可能に連結されている。ロック部２は、プローブカードを収容した状態で上筐体１１及び下筐体１２が展開しないように施錠する施錠手段である。
【００２２】
車輪４、突出部５及び６は、ケース本体１の下面１Ｂに設けられている。車輪４は、プローブカード収納ケース１００を移動させる際の摩擦抵抗を低減させるキャスターであり、その一部が下面１Ｂから突出している。車輪４及び突出部５は、ケース本体１の後端部付近に配置され、突出部６は、ケース本体１の前端部付近に配置されている。
【００２３】
＜休止機構１０＞
係止機構１０は、他の収納ケースを係止するための係止手段であり、ケース本体１の上面１Ａと、この上面１Ａに設けられた車輪穴７、係合穴８及び９とにより構成される。上面１Ａは、他の収納ケースが載置される載置面である。車輪穴７は、他の収納ケースの車輪を収容するための車輪収容部であり、車輪４の形状及びサイズに対応した凹形状からなる。具体的には、任意の鉛直面により車輪穴７を切断した場合の切断面が凹形状からなる。
【００２４】
係合穴８は、他の収納ケースの突出部と係合する突出部係合手段であり、突出部５の形状及びサイズに対応した凹形状からなる。係合穴９は、他の収納ケースの突出部と係合する突出部係合手段であり、突出部６の形状及びサイズに対応した凹形状からなる。車輪穴７、係合穴８及び９は、それぞれ車輪４、突出部５及び６に対応する位置に形成されている。
【００２５】
この例では、ケース本体１の前端部を持ち上げた状態で水平面ＨＳ上を移動させる際の安定性を良くするために、車輪４がケース本体１の左右方向の両端部にそれぞれ設けられている。従って、車輪穴７もケース本体１の左右方向の両端部にそれぞれ形成されている。
【００２６】
また、ケース本体１を水平面ＨＳ上に載置した際の安定性を良くするために、突出部５はケース本体１の左右方向の両端部にそれぞれ設けられ、突出部６についても、突出部５と同様に、ケース本体１の左右方向の両端部にそれぞれ設けられている。従って、係合穴８，９もケース本体１の左右方向の両端部にそれぞれ形成されている。
【００２７】
ケース本体１の上面１Ａ上で他の収納ケースを前後方向に移動させた際に、当該他の収納ケースの車輪が係合孔８，９に落下するのを防ぐために、車輪穴７は、係合穴８及び９とは左右方向の位置を異ならせて形成されている。
【００２８】
また、突出部５は、下面１Ｂからの突出長が車輪４よりも長く、車輪４よりも前方に配置されている。このため、ケース本体１を水平面ＨＳ上に載置した状態では、突出部５及び６の先端面が水平面ＨＳに接触する一方、車輪４は、水平面ＨＳから浮き上がり、ケース本体１の安定性を確保することができる。
【００２９】
＜車輪穴７の傾斜面７Ｂ＞
車輪穴７は、その底面７Ａとケース本体１の上面１Ａとを繋ぐ滑らかな傾斜面７Ｂを有する。この傾斜面７Ｂは、ケース本体１の前後方向に延びる平面からなり、傾斜角度は概ね一定である。この様な傾斜面７Ｂを車輪穴７に設けることにより、車輪穴７内に収容された車輪を傾斜面７Ｂに沿って移動させれば、傾斜面７Ｂがない場合に比べて、上面１Ａに載置された他の収納ケースを小さな力で移動させることができる。
【００３０】
車輪穴７及び係合穴８は、上面１Ａに載置された他の収納ケースの前部を持ち上げることにより、当該他の収納ケースの突出部が係合穴８から外れるとともに、他の収納ケースの車輪が車輪穴７の底面７Ａに接触する深さをそれぞれ有する。この様な構成を採用することにより、他の収納ケースの前部を持ち上げた状態で当該収納ケースを前方へ移動させることにより、他の収納ケースの車輪が転がりながら車輪穴７の底面７Ａから傾斜面７Ｂへ移動するので、上面１Ａに載置された他の収納ケースを引き出し易くすることができる。
【００３１】
図３は、図１のプローブカード収納ケース１００の動作の一例を示した説明図であり、水平面ＨＳ上でプローブカード収納ケース１００を移動させる場合が示されている。プローブカード収納ケース１００が水平面ＨＳ上に載置されている場合、ケース本体１の前端部を持ち上げてケース本体１を傾斜させれば、突出部５及び６が水平面ＨＳから浮き上がり、車輪４が水平面ＨＳに接触する。この状態では、車輪４がケース本体１を支持しながら転がるので、プローブカード収納ケース１００を容易に移動させることができる。
【００３２】
図４は、図１のプローブカード収納ケース１００の動作の一例を示した説明図であり、２以上のプローブカード収納ケース１００を棚板２００上に積み重ねた場合が示されている。図中には、２つのプローブカード収納ケース１００を棚板２００上に積み重ねた場合が示されているが、３以上のプローブカード収納ケース１００を棚板２００上に積み重ねて保管することもできる。
【００３３】
棚板２００は、水平に設置された平板からなり、２以上のプローブカード収納ケース１００を保管するための保管棚を構成する。棚板２００には、プローブカード収納ケース１００を係止するための係止機構１０が設けられている。この係止機構１０は、プローブカード収納ケース１００に設けられた係止機構１０と同様の構成からなる。すなわち、この係止機構１０は、棚板２００の上面２０１と、この上面２０１に設けられた車輪穴７、係合穴８及び９とにより構成される。
【００３４】
最下段のプローブカード収納ケース１００は、棚板２００上に載置されている。このプローブカード収納ケース１００が上面２０１に載置された状態では、当該収納ケース１００の突出部５及び６が棚板２００の係合穴８及び９内にそれぞれ収容され、収納ケース１００が棚板２００に対し係止されている。このため、プローブカード収納ケース１００を載置した際の安定性を向上させることができる。また、プローブカード収納ケース１００の車輪４が棚板２００の車輪穴７内に収容されるので、プローブカード収納ケース１００の上面２０１からの高さが高くなるのを抑制することができる。
【００３５】
最下段以外のプローブカード収納ケース１００は、下段の収納ケース上に載置されている。上段のプローブカード収納ケース１００を下段の収納ケース上に積み重ねた状態では、当該上段のプローブカード収納ケース１００の突出部５及び６が下段の収納ケースの係合穴８及び９内にそれぞれ収容され、上段のプローブカード収納ケース１００が下段の収納ケースに対し係止されている。このため、２以上のプローブカード収納ケース１００を積み重ねた際の安定性を向上させることができる。また、上段のプローブカード収納ケース１００の車輪４が下段の収納ケースの車輪穴７内に収容されるので、車輪穴７、係合穴８及び９を備えていない従来のプローブカード収納ケースの場合と比べ、プローブカード収納ケース１００を積み重ねて保管する際に、プローブカード収納ケース１００の高さが高くなるのを抑制することができる。
【００３６】
図５は、図４のプローブカード収納ケース１００の動作の一例を示した説明図であり、最上段のプローブカード収納ケース１００を移動させる場合が示されている。最上段のプローブカード収納ケース１００について、ケース本体１の前端部を持ち上げてケース本体１を傾斜させれば、当該プローブカード収納ケース１００の突出部５及び６が下段の収納ケースの係合穴８及び９からそれぞれ外れるとともに、プローブカード収納ケース１００の車輪４が下段の収納ケースの車輪穴７の底面７Ａに接触する。この状態では、車輪４がケース本体１を支持しながら転がるので、プローブカード収納ケース１００を滑らかに移動させることができる。
【００３７】
下段の収納ケースの車輪穴７には、底面７Ａとケース本体の上面１Ａとを繋ぐ滑らかな傾斜面７Ｂが設けられており、最上段のプローブカード収納ケース１００を傾斜させた状態で、当該プローブカード収納ケース１００の取っ手３を手前に引くことにより、車輪４が傾斜面７Ｂに沿って移動する。このため、傾斜面７Ｂがない場合に比べ、最上段のプローブカード収納ケース１００を小さな力で移動させることができる。特に、上段の収納ケースを引き出す際に、下段の収納ケースが上段の収納ケースと共に引き出されるのを防止することができる。また、底面７Ａと上面１Ａとの間に段差や凹凸がある場合に比べ、車輪４を車輪穴７及び上面１Ａ間で滑らかに移動させることができる。
【００３８】
本実施の形態によるプローブカード収納ケース１００では、他の収納ケースをプローブカード収納ケース１００上に積み重ねた状態において、他の収納ケースの突出部５及び６が係合穴８及び９内にそれぞれ収容され、他の収納ケースが係止される。このため、２以上のプローブカード収納ケース１００を積み重ねた際の安定性を向上させることができる。また、積み重ねられた他の収納ケースは小さな力で移動させることができるとともに、車輪４を車輪穴７とケース本体１の上面１Ａとの間で滑らかに移動させることができるので、他の収納ケースをプローブカード収納ケース１００上に載置する作業、及び、他の収納ケースをプローブカード収納ケース１００上から移動させる作業を円滑に行うことができる。
【００３９】
なお、本実施の形態では、傾斜面７Ｂが一定の傾斜角を有する平面からなる場合の例について説明したが、本発明は、傾斜面７Ｂの構成をこれに限定するものではなく、車輪穴７の底面７Ａと車輪付き収納ケースが載置される載置面とを繋ぐ滑らかな面であれば傾斜面７Ｂは曲面であっても良い。
【００４０】
図６は、係合穴７の底面７Ａと載置面ＳＳとを繋ぐ傾斜面７Ｂの他の構成例を示した断面図であり、車輪穴７を鉛直面で切断した場合の切断面が示されている。図中の（ａ）には、切断面の形状が下に凸の曲線からなる傾斜面７Ｂが示され、（ｂ）には、上に凸の曲線からなる傾斜面７Ｂが示され、（ｃ）には、Ｓ字状の曲線からなる傾斜面７Ｂが示されている。
【００４１】
切断面の形状が下に凸の曲線からなる傾斜面７Ｂでは、載置面ＳＳに対する傾斜角が、車輪穴７の周縁部に近づくほど増加している。一方、切断面の形状が上に凸の曲線からなる傾斜面７Ｂでは、載置面ＳＳに対する傾斜角が、車輪穴７の周縁部に近づくほど減少している。また、切断面の形状がＳ字状の曲線からなる傾斜面７Ｂでは、斜面の途中で下に凸の曲線から上に凸の曲線に変化している。
【００４２】
この様な傾斜面７Ｂであっても、傾斜面７Ｂがない場合に比べ、載置面ＳＳ上に載置された車輪付き収納ケースを小さな力で移動させることができる。また、底面７Ａと載置面ＳＳとを繋ぐ面に段差又は凹凸がある場合に比べ、車輪４を車輪穴７及び載置面ＳＳ間で滑らかに移動させることができる。
【００４３】
また、本実施の形態では、係止機構１０がプローブカード収納ケース１００及び棚板２００にそれぞれ設けられる場合の例について説明したが、本発明は、介在板を介して他の収納ケース上にプローブカード収納ケース１００を積み重ねる場合にも適用することができる。
【００４４】
図７は、係止機構１０を備えた介在板３００を用いて２以上のプローブカード収納ケース１００を棚板２００上に積み重ねる場合の一例を示した説明図である。このプローブカード収納ケース１００は、図１のプローブカード収納ケース１００と比較すれば、車輪穴７、突出部８及び９がケース本体１に設けられていない点で相違するが、その他の構成は同一である。
【００４５】
介在板３００は、２つのプローブカード収納ケース１００の間に配置される平板であり、棚板２００と同様の構成からなる。すなわち、介在板３００には、プローブカード収納ケース１００を係止するための係止機構１０が設けられている。この係止機構１０は、介在板３００の上面３０１と、この上面３０１に設けられた車輪穴７、係合穴８及び９とにより構成される。プローブカード収納ケース１００と介在板３００とは、交互に積み重ねられている。
【００４６】
介在板３００は、下段の収納ケース上に載置されるとともに、上面３０１に上段の収納ケースが載置される。介在板３００が下段の収納ケース上に載置された状態では、当該介在板３００の下面と下段の収納ケースの上面とが密着する。また、上段の収納ケースが介在板３００上に載置された状態では、当該収納ケースの突出部５及び６が介在板３００の係合穴８及び９内にそれぞれ収容され、収納ケースが介在板３００に対し係止される。このため、介在板３００を用いて２以上のプローブカード収納ケース１００を棚板２００上に積み重ねて保管する際の安定性を向上させることができる。
【００４７】
また、本実施の形態では、プローブカードを収納するプローブカード収納ケース１００の例について説明したが、本発明は、精密機器を収納する車輪付き収納ケース全般に適用することができる。
【符号の説明】
【００４８】
１００  プローブカード収納ケース
１  ケース本体
１１  上筐体
１２  下筐体
１Ａ  ケース本体の上面
１Ｂ  ケース本体の下面
２  ロック部
３  取っ手
４  車輪
５，６  突出部
７  車輪穴
７Ａ  車輪穴の底面
７Ｂ  車輪穴の傾斜面
８，９  係合穴
１０  係止機構
２００  棚板
２０１  棚板の上面
３００  介在板
３０１  介在板の上面
【図１】
2014221661.tif 000003
【図２】
2014221661.tif 000004
【図３】
2014221661.tif 000005
【図４】
2014221661.tif 000006
【図５】
2014221661.tif 000007
【図６】
2014221661.tif 000008
【図７】
2014221661.tif 000009